(57)【要約】【課題】来訪者やその周囲の様子を来訪者に気付かれずに確認することが可能なインターホンシステムを提供する。【解決手段】集合玄関機２において呼出操作がされた場合、玄関カメラ２０で取得されている映像が玄関表示部１７及び居室表示部４６に表示されるとともに、さらに居室操作部４７が操作されて玄関カメラ２０からエントランスカメラ１に切り替えられた場合であっても、エントランスカメラ１で取得されている映像は玄関表示部１７には表示されず居室表示部４６に表示される。【選択図】図１
2015053659.tif 000002
【特許請求の範囲】
【請求項１】
居住者を呼び出して通話するための玄関機と、居室内に設置されるとともに前記玄関機からの呼び出しに応答するための居室機と、共用部に設置される共用部カメラと、を備えるインターホンシステムであって、
前記玄関機は、
前記玄関機の周囲の映像を取得する玄関カメラと、
前記玄関カメラで取得された映像を表示する玄関表示部と、
を有し、
前記居室機は、
前記玄関カメラで取得された映像又は前記共用部カメラで取得された映像を表示する居室表示部と、
前記玄関カメラと前記共用部カメラのいずれが取得している映像を前記居室表示部に表示させるかを切り替えるカメラ切替部と、
を有し、
前記玄関機において呼出操作がされた場合、前記玄関カメラで取得されている映像が前記玄関表示部及び前記居室表示部に表示されるとともに、さらに前記カメラ切替部により前記玄関カメラから前記共用部カメラに切り替える操作がされた場合であっても、前記共用部カメラで取得されている映像は前記玄関表示部には表示されず前記居室表示部に表示されることを特徴とするインターホンシステム。
【請求項２】
前記呼出操作がされた場合、前記玄関表示部には、前記玄関カメラで取得されている映像が録画中であることを示す録画表示が表示されることを特徴とする請求項１に記載のインターホンシステム。
【請求項３】
居住者を呼び出して通話するための玄関機と、居室内に設置されるとともに前記玄関機からの呼び出しに応答するための居室機と、共用部に設置される共用部カメラと、を備えるインターホンシステムであって、
前記玄関機は、
前記玄関機の周囲の映像を取得する玄関カメラと、
前記玄関カメラで取得された映像を表示する玄関表示部と、
を有し、
前記居室機は、
前記玄関カメラで取得された映像又は前記共用部カメラで取得された映像を表示する居室表示部と、
前記玄関カメラと前記共用部カメラのいずれが取得している映像を前記居室表示部に表示させるかを切り替えるカメラ切替部と、
を有し、
前記玄関機において呼出操作が開始されると、前記玄関カメラで取得されている映像が前記玄関表示部に表示され、前記呼出操作が終了した後は、前記玄関カメラで取得されている映像又は前記共用部カメラで取得されている映像が前記居室表示部に表示されるとともに、前記呼出操作終了後に前記玄関カメラで取得されている映像又は前記共用部カメラで取得されている映像が前記玄関表示部に表示されることが停止されることを特徴とするインターホンシステム。
【請求項４】
前記呼出操作が終了した後、前記玄関表示部には、前記玄関カメラで取得されている映像が録画中であることを示す録画表示が表示されることを特徴とする請求項３に記載のインターホンシステム。
【発明の詳細な説明】
【技術分野】
【０００１】
本発明は、インターホンシステムに関するものである。
【背景技術】
【０００２】
従来、玄関カメラとその玄関カメラの映像が表示されるモニターとが設けられた集合玄関機を備えるインターホンシステムが提案されている（特許文献１参照）。特許文献１のインターホンシステムでは、例えば、来訪者は、集合玄関機のモニターを見ることにより自己の映像を確認することができる。
【先行技術文献】
【特許文献】
【０００３】
【特許文献１】特開２０００−０９２２２３号公報
【発明の概要】
【発明が解決しようとする課題】
【０００４】
特許文献１に記載のインターホンシステムに対して、更に、例えば、防犯性向上の観点から来訪者やその周囲の様子の確認を容易にするために、集合玄関機と接続される居室機に、集合玄関等の共用部に設けられる共用部カメラと玄関カメラのいずれの映像を居室機のモニターに表示するかを切り替えることが可能なカメラ切替部を設けることが考えられる。
【０００５】
しかしながら、特許文献１の構成に上記のカメラ切替部を追加する構成では、居住者が居室機のカメラ切替部を操作して居室機のモニターに表示される映像を切り替えると、玄関集合機のモニターに表示される映像も同様に切り替えられてしまう。このため、居住者が例えば居留守をしつつ来訪者やその周囲の様子の確認したい場合であっても、居住者が在宅中であることが来訪者に気付かれてしまう場合があった。
【０００６】
本発明は、来訪者やその周囲の様子を来訪者に気付かれずに確認することが可能なインターホンシステムを提供することを目的とする。
【課題を解決するための手段】
【０００７】
上記課題を解決することのできる本発明のインターホンシステムは、居住者を呼び出して通話するための玄関機と、居室内に設置されるとともに前記玄関機からの呼び出しに応答するための居室機と、共用部に設置される共用部カメラと、を備えるインターホンシステムであって、前記玄関機は、前記玄関機の周囲の映像を取得する玄関カメラと、前記玄関カメラで取得された映像を表示する玄関表示部と、を有し、前記居室機は、前記玄関カメラで取得された映像又は前記共用部カメラで取得された映像を表示する居室表示部と、前記玄関カメラと前記共用部カメラのいずれが取得している映像を前記居室表示部に表示させるかを切り替えるカメラ切替部と、を有し、前記玄関機において呼出操作がされた場合、前記玄関カメラで取得されている映像が前記玄関表示部及び前記居室表示部に表示されるとともに、さらに前記カメラ切替部により前記玄関カメラから前記共用部カメラに切り替える操作がされた場合であっても、前記共用部カメラで取得されている映像は前記玄関表示部には表示されず前記居室表示部に表示されることを特徴とする。
【０００８】
この態様によれば、来訪者に呼び出された居住者が、例えば、防犯のために、カメラ切替部を操作して来訪者やその周囲の様子を確実に確認しようとしたとしても、この切り替えられた映像は玄関表示部には表示されない。このように、来訪者は玄関表示部を見ても、居室表示部に表示されている映像が切り替えられたことが分からないため、来訪者は、居住者が在宅中か否かを気づくことはできない。従って、居住者は、来訪者やその周囲の様子を来訪者に気付かれずに確認することができる。
【０００９】
また、本発明のインターホンシステムにおいて、前記呼出操作がされた場合、前記玄関表示部には、前記玄関カメラで取得されている映像が録画中であることを示すアイコンが表示されることにしても良い。
【００１０】
この態様によれば、来訪者に対して、玄関カメラで取得されている映像が録画中であることを自覚させることができるため、防犯性が向上する。
【００１１】
また、本発明のインターホンシステムは、居住者を呼び出して通話するための玄関機と、居室内に設置されるとともに前記玄関機からの呼び出しに応答するための居室機と、共用部に設置される共用部カメラと、を備えるインターホンシステムであって、前記玄関機は、前記玄関機の周囲の映像を取得する玄関カメラと、前記玄関カメラで取得された映像を表示する玄関表示部と、を有し、前記居室機は、前記玄関カメラで取得された映像又は前記共用部カメラで取得された映像を表示する居室表示部と、前記玄関カメラと前記共用部カメラのいずれが取得している映像を前記居室表示部に表示させるかを切り替えるカメラ切替部と、を有し、前記玄関機において呼出操作が開始されると、前記玄関カメラで取得されている映像が前記玄関表示部に表示され、前記呼出操作が終了した後は、前記玄関カメラで取得されている映像又は前記共用部カメラで取得されている映像が前記居室表示部に表示されるとともに、前記呼出操作終了後に前記玄関カメラで取得されている映像又は前記共用部カメラで取得されている映像が前記玄関表示部に表示されることが停止されることを特徴とする。
【００１２】
この態様によれば、来訪者による呼出操作が終了した後に、居住者が、例えば防犯のために、カメラ切替部を操作して来訪者やその周囲の様子を確実に確認しようとしたとしても、この切り替えられた映像は玄関表示部には表示されない。このように、来訪者は玄関表示部を見ても、居室表示部に表示されている映像が切り替えられたことが分からないため、来訪者は、居住者が在宅中か否かを気づくことはできない。従って、居住者は、来訪者やその周囲の様子を来訪者に気付かれずに確認することができる。
【００１３】
また、本発明のインターホンシステムにおいて、前記呼出操作が終了した後、前記玄関表示部には、前記玄関カメラで取得されている映像が録画中であることを示す録画表示が表示されることにしても良い。
【００１４】
この態様によれば、来訪者に対して、玄関カメラで取得されている映像が録画中であることを自覚させることができるため、防犯性が向上する。
【発明の効果】
【００１５】
本発明によれば、来訪者やその周囲の様子を来訪者に気付かれずに確認することが可能なインターホンシステムを提供することができる。
【図面の簡単な説明】
【００１６】
【図１】本発明の実施形態を示すインターホンシステムの概略構成図である。
【図２】集合玄関機の構成を示すブロック図である。
【図３】制御装置の構成を示すブロック図である。
【図４】居室機の構成を示すブロック図である。
【図５】インターホンシステムの制御装置による制御の流れを説明するフローチャートである。
【図６】他の実施形態に係るインターホンシステムの制御装置による制御の流れを説明するフローチャートである。
【発明を実施するための形態】
【００１７】
以下、本発明に係るインターホンシステムの実施の形態の例を、図面を参照して説明する。
図１に示すように、本実施形態に係るインターホンシステム１０は、マンション等の集合住宅や一戸建てにおける住戸に設置されるもので、エントランスカメラ（共用部カメラの一例）１、集合玄関機（玄関機の一例）２、制御装置３及び居室機４を備えている。なお、本例では、インターホンシステム１０を集合住宅に設置した場合を例示して説明する。したがって、本実施形態では、複数の居室機４を備え、各住戸にそれぞれ居室機４が設置されている。
【００１８】
エントランスカメラ１は、集合住宅のエントランス等の共用部の入り口付近に設置されており、エントランス及びその周辺を撮影するカメラである。
【００１９】
集合玄関機２は、住戸内に在室中の居住者を呼び出す際に、来訪者が所定の呼出操作を行うためのものである。この集合玄関機２は、玄関マイク１４、玄関スピーカ１５、玄関操作部１６、玄関表示部１７及び玄関カメラ２０を備えている。玄関マイク１４及び玄関スピーカ１５は、来訪者が居住者との間で通話をする際に、音声を入出力するためのものである。玄関操作部１６は、来訪者が居住者を呼び出すための呼出操作を行う際に来訪者によって操作される部分である。玄関表示部１７は、玄関操作部１６での操作内容や玄関カメラ２０で撮影された映像を表示させるものである。玄関カメラ２０は、呼出操作を行う来訪者及びその周囲の映像等を撮影するためのものである。
【００２０】
図２に示すように、集合玄関機２は、通信回路１１、通話回路１２、制御部１３、カメラ映像回路１８、切替回路１９及びエントランスカメラ映像回路２１を有している。通信回路１１、通話回路１２、カメラ映像回路１８は、制御部１３に接続されており、制御部１３によって制御される。
【００２１】
通信回路１１は、集合玄関機２の制御部１３と制御装置３との間での各種信号の通信を行う。通話回路１２には、玄関マイク１４及び玄関スピーカ１５が接続されている。通話回路１２は、玄関マイク１４からの音声信号を制御部１３へ送信するとともに、制御部１３からの音声信号を玄関スピーカ１５へ出力する。制御部１３には、玄関操作部１６が接続されており、玄関操作部１６で操作されることで玄関操作部１６から入力信号が制御部１３へ送信される。また、制御部１３には、玄関表示部１７が接続されており、制御部１３から玄関表示部１７へ映像信号が出力される。
【００２２】
カメラ映像回路１８には、玄関カメラ２０及び切替回路１９が接続されている。カメラ映像回路１８は、玄関カメラ２０からの映像信号を切替回路１９へ送信する。エントランスカメラ映像回路２１には、エントランスカメラ１及び切替回路１９が接続されている。エントランスカメラ映像回路２１は、エントランスカメラ１からの映像信号を切替回路１９へ送信する。切替回路１９は、エントランスカメラ１または玄関カメラ２０からの映像信号のいずれかを通信回路１１へ送信する。
【００２３】
制御装置３は、インターホンシステム１０の全体の制御を行うもので、図３に示すように、二つの通信回路３１，３２と、主構成部としてのＣＰＵ（Central Processing Unit）３３とを備えている。通信回路３１は、集合玄関機２に接続されており、集合玄関機２と制御装置３のＣＰＵ３３との間での各種信号の通信を行う。通信回路３２は、居室機４に接続されており、居室機４と制御装置３のＣＰＵ３３との間での各種信号の通信を行う。
【００２４】
図１に示すように、居室機４は、集合玄関機２からの来訪者による呼び出しに応答するためのものであり、各住戸にそれぞれ設置される。各居室機４は、居室マイク４４、居室スピーカ４５、居室表示部４６及び居室操作部（カメラ切替部の一例）４７を備えている。居室マイク４４及び居室スピーカ４５は、居住者が来訪者との間で通話をする際に、音声を入出力するためのものである。居室表示部４６は、玄関カメラ２０またはエントランスカメラ１で撮影された映像を表示させるものである。
【００２５】
居室操作部４７は、居住者が来訪者からの呼び出しに応答して通話する際に、所定の応答操作を行ったり、居室表示部４６に表示される映像を変更する表示変更処理を行うためのものである。居室操作部４７による表示変更処理は、画像処理的に行っても良いし、カメラの姿勢を変化させて行っても良い。例えば、本例の表示変更処理は、広角カメラからなる玄関カメラ２０で撮影されて取得されたワイド映像を分割した分割映像に加工したり、ワイド映像の所定部分を拡大した拡大映像に加工するなどの画像処理によって良い。また、本例の表示変更処理は、玄関カメラ２０の位置や姿勢を変化させることで映像をズームしたりパンチルト操作することによって行われても良い。
【００２６】
また、居室操作部４７を操作することで、居室表示部４６の映像を、玄関カメラ２０の映像とエントランスカメラ１の映像とに切り替えることも可能である。さらに、居室操作部４７は、解錠スイッチも備えている。居室操作部４７の解錠スイッチは、エントランスの扉を開放する解除操作を行うためのものであり、解錠スイッチを押下することでエントランスが解錠される。
【００２７】
図４に示すように、各居室機４は、通信回路４１、通話回路４２及び制御部４３を有している。通信回路４１、通話回路４２は、制御部４３に接続されており、制御部４３によって制御される。
【００２８】
通信回路４１は、居室機４の制御部４３と制御装置３との間での各種信号の通信を行う。通話回路４２には、居室マイク４４及び居室スピーカ４５が接続されている。通話回路４２は、居室マイク４４からの音声信号を制御部４３へ送信するとともに、制御部４３からの音声信号を居室スピーカ４５へ出力する。制御部４３には、居室操作部４７が接続されており、居室操作部４７で操作されることで居室操作部４７から入力信号が制御部４３へ送信される。また、制御部４３には、居室表示部４６が接続されており、制御部４３から居室表示部４６へ映像信号が出力される。
【００２９】
次に、上記のインターホンシステム１０の制御装置３での制御を、図５に示すフローチャートに沿って説明する。
【００３０】
来訪者が住戸内の居住者を呼び出すべく、集合玄関機２の玄関操作部１６のボタンを押下すると、住戸内の居住者の呼出操作が開始される（ステップＳ１１）。
すると、集合玄関機２では、玄関カメラ２０が駆動し、玄関カメラ２０によって集合玄関機２の周囲（例えば集合玄関機の前方）に待機する来訪者の映像が撮影される（ステップＳ１２）。
【００３１】
さらに、集合玄関機２では、玄関表示部１７が作動し（ステップＳ１３）、この玄関表示部１７に、玄関カメラ２０で撮影された玄関カメラ映像が映し出される（ステップＳ１４）。
【００３２】
来訪者によって呼出操作が開始され（ステップＳ１１）、来訪者が玄関操作部１６の呼出ボタンを押下することで呼出操作が終了されると（ステップＳ１５）、呼出対象の住戸の居室機４の居室スピーカ４５から呼出音が発せられる（ステップＳ１６）。
【００３３】
さらに、居室機４では、居室表示部４６が作動し（ステップＳ１７）、この居室表示部４６に、玄関カメラ２０によって撮影された玄関カメラ映像が映し出される（ステップＳ１８）。
【００３４】
ここで、共用カメラ切替操作判定が行われる（ステップＳ１９）。この共用カメラ切替操作判定（ステップＳ１９）では、居住者が居室操作部４７によってカメラ切替操作が行われたか否かが判定される。居住者が居室操作部４７によってカメラ切替操作を行うと（ステップＳ１９：ＹＥＳ）、エントランスカメラ１が駆動し（ステップＳ２０）、切替回路１９が入力を切り替えて、居室機４の居室表示部４６の映像が、玄関カメラ２０の玄関カメラ映像からエントランスカメラ１で撮影されたエントランス映像に切り替えられる（ステップＳ２１）。このように、居室操作部４７により玄関カメラ２０からエントランスカメラ１に切り替える操作がされた場合であっても、エントランスカメラ１で取得されている映像は集合玄関機２の玄関表示部１７には表示されず居室機４の居室表示部４６だけに表示される。
【００３５】
共用カメラ切替判定（ステップＳ１９）において、居住者によるカメラ切替操作がない場合（ステップＳ１９：ＮＯ）、居室機４の居室表示部４６には、玄関カメラ２０で撮影された玄関カメラ映像が継続して映し出される。
【００３６】
また、通話状態に移行されたか否かの通話状態移行判定または呼出時間が経過したか否かの呼出時間経過判定が行われる（ステップＳ２２）。
【００３７】
ここで、居住者が居室操作部４７を操作して来訪者との通話状態が許可されて通話状態移行に移行されたと判定されると（ステップＳ２２：ＹＥＳ）、来訪者と居住者との通話が可能とされる（ステップＳ２３）。居住者は、来訪者との通話後、来訪者を招き入れる場合に、居室操作部４７の解錠スイッチを押下し、エントランスを解錠させる。これにより、住戸のエントランスを来訪者が通過することが可能とされる。また、通話状態への移行が行われず、呼出時間が経過したと判定されると（ステップＳ２２：ＹＥＳ）、集合玄関機２及び居室機４が待ち受け状態とされる（ステップＳ２３）。
【００３８】
なお、来訪者と居住者との通話が許可されず、さらに、呼出時間が経過していないと判定されると（ステップＳ２２：ＮＯ）、玄関カメラ切替操作判定が行われる（ステップＳ２４）。この玄関カメラ切替操作判定（ステップＳ２４）では、居住者が居室操作部４７によってカメラ切替操作を行ったか否かが判定される。居住者が居室操作部４７によってカメラ切替操作を行っていると（ステップＳ２４：ＹＥＳ）、居室機４の居室表示部４６にエントランスカメラ１のエントランス映像が映し出されていた場合は（ステップＳ２５：ＹＥＳ）、切替回路１９が入力を切り替えて、エントランス映像から玄関カメラ映像に切り替えられて、居室機４の居室表示部４６に玄関カメラ映像が映し出される（ステップＳ１８）。居室機４の居室表示部４６に玄関カメラ２０の玄関カメラ映像が映し出されていた場合は（ステップＳ２５：ＮＯ）、エントランスカメラ１を駆動して（ステップＳ２０）、切替回路１９が入力を切り替えて、玄関カメラ映像からエントランス映像に切り替えられて（ステップＳ２１）、居室機４の居室表示部４６にエントランス映像が映し出される。このように、居室操作部４７が操作されてカメラが切り替えられた場合であっても、エントランスカメラ１で取得されている映像は集合玄関機２の玄関表示部１７には表示されず居室機４の居室表示部４６だけに表示される。
【００３９】
以上、説明したように、本実施形態に係るインターホンシステム１０によれば、来訪者が集合玄関機２に対して呼出操作を行った場合、玄関カメラ２０で取得されている映像が玄関表示部１７及び居室表示部４６に表示される。このため、来訪者は玄関表示部１７を見ることで自己の映像を確認することができるとともに、居住者は居室表示部４６を見ることで来訪者を確認することができる。また、さらに、居室操作部４７により玄関カメラ２０からエントランスカメラ１に切り替える操作がされた場合であっても、エントランスカメラ１で取得されている映像は玄関表示部１７には表示されず居室表示部４６に表示される。このため、来訪者に呼び出された居住者が、例えば、防犯のために、居室操作部４７を操作して来訪者やその周囲の様子を確実に確認しようとしたとしても、この切り替えられた映像は玄関表示部１７には表示されない。このように、来訪者は玄関表示部１７を見ても、居室表示部４６に表示されている映像が切り替えられたことが分からないため、来訪者は、居住者が在宅中か否かを気づくことはできない。従って、居住者は、来訪者やその周囲の様子を来訪者に気付かれずに確認することができる。
【００４０】
なお、集合玄関機２に対する呼出操作が終了した後、玄関表示部１７に、玄関カメラ２０で取得されている映像が録画中であることを示す録画表示（例えば「録画中」の文字表示や、録画中であることを示す図形によるアイコン表示）を、集合玄関機２及び居室機４が待ち受け状態となるまで表示しても良い。
このようにすれば、来訪者に対して、玄関カメラ２０で取得されている映像が録画中であることを自覚させることができるため、防犯性が向上する。
【００４１】
次に、他の実施形態に係るインターホンシステム１０の制御装置３での制御を、図６に示すフローチャートに沿って説明する。
【００４２】
来訪者が住戸内の居住者を呼び出すべく、集合玄関機２の玄関操作部１６のボタンを押下すると、住戸内の居住者の呼出操作が開始される（ステップＳ３１）。
【００４３】
すると、集合玄関機２では、玄関カメラ２０が駆動し、玄関カメラ２０によって集合玄関機２の周囲（例えば前方）に待機する来訪者の映像が撮影される（ステップＳ３２）。
【００４４】
さらに、集合玄関機２では、玄関表示部１７が作動し（ステップＳ３３）、この玄関表示部１７に、玄関カメラ２０で撮影された玄関カメラ映像が映し出される（ステップＳ３４）。
【００４５】
来訪者によって呼出操作が開始され（ステップＳ３１）、来訪者が玄関操作部１６の呼出ボタンを押下することで呼出操作が終了されると（ステップＳ３５）、集合玄関機２の玄関表示部１７での映像の表示が停止される（ステップＳ３６）。そして、集合玄関機２の玄関表示部１７には、玄関カメラ２０で取得されている映像が録画中であることを示す録画表示（例えば「録画中」の文字表示や、録画中であることを示す図形によるアイコン表示）が、集合玄関機２及び居室機４が待ち受け状態となるまで表示される（ステップＳ３７）。
【００４６】
また、来訪者が玄関操作部１６の呼出ボタンを押下することで呼出操作が終了されると（ステップＳ３５）、呼出対象の住戸の居室機４の居室スピーカ４５から呼出音が発せられる（ステップＳ３８）。
【００４７】
さらに、居室機４では、居室表示部４６が作動し（ステップＳ３９）、この居室表示部４６に、玄関カメラ２０によって撮影された玄関カメラ映像が映し出される（ステップＳ４０）。
【００４８】
ここで、共用カメラ切替操作判定が行われる（ステップＳ４１）。この共用カメラ切替操作判定（ステップＳ４１）では、居住者が居室操作部４７によってカメラ切替操作を行ったか否かが判定される。居住者が居室操作部４７によってカメラ切替操作を行うと（ステップＳ４１：ＹＥＳ）、エントランスカメラ１が駆動し（ステップＳ４２）、切替回路１９が入力を切り替えて、居室機４の居室表示部４６の映像が、玄関カメラ２０の玄関カメラ映像からエントランスカメラ１で撮影されたエントランス映像に切り替えられる（ステップＳ４３）。このように、居室操作部４７により玄関カメラ２０からエントランスカメラ１に切り替える操作がされた場合であっても、玄関表示部１７での映像の表示が停止されている（ステップＳ３６）ので、エントランスカメラ１で取得されている映像は集合玄関機２の玄関表示部１７には表示されず居室機４の居室表示部４６だけに表示される。
【００４９】
共用カメラ切替判定（ステップＳ４１）において、居住者によるカメラ切替操作がない場合（ステップＳ４１：ＮＯ）、居室機４の居室表示部４６には、玄関カメラ２０で撮影された玄関カメラ映像が継続して映し出される。
【００５０】
ステップＳ４１またはステップＳ４３の後、通話状態に移行されたか否かの通話状態移行判定または呼出時間が経過したか否かの呼出時間経過判定が行われる（ステップＳ４４）。
【００５１】
ここで、居住者が居室操作部４７を操作して来訪者との通話状態が許可されて通話状態移行に移行されたと判定されると（ステップＳ４４：ＹＥＳ）、来訪者と居住者との通話が可能とされる（ステップＳ４５）。居住者は、来訪者との通話後、来訪者を招き入れる場合に、居室操作部４７の解錠スイッチを押下し、エントランスを解錠させる。これにより、住戸のエントランスを来訪者が通過することが可能とされる。また、通話状態への移行が行われず、呼出時間が経過したと判定されると（ステップＳ４４：ＹＥＳ）、集合玄関機２及び居室機４が待ち受け状態とされる（ステップＳ４５）。
【００５２】
なお、来訪者と居住者との通話が許可されず、さらに、呼出時間が経過していないと判定されると（ステップＳ４４：ＮＯ）、玄関カメラ切替操作判定が行われる（ステップＳ４６）。この玄関カメラ切替操作判定（ステップＳ４６）では、居住者が居室操作部４７によってカメラ切替操作が行われたか否かが判定される。居住者が居室操作部４７によってカメラ切替操作を行っていると（ステップＳ４６：ＹＥＳ）、居室機４の居室表示部４６にエントランスカメラ１のエントランス映像が映し出されていた場合は（ステップＳ４７：ＹＥＳ）、切替回路１９が入力を切り替えて、エントランス映像から玄関カメラ映像に切り替えられて、居室機４の居室表示部４６に玄関カメラ映像が映し出される（ステップＳ４０）。居室機４の居室表示部４６に玄関カメラ２０の玄関カメラ映像が映し出されていた場合は（ステップＳ４７：ＮＯ）、エントランスカメラ１を駆動して（ステップＳ４２）、切替回路１９が入力を切り替えて、玄関カメラ映像からエントランス映像に切り替えられて（ステップＳ４３）、居室機４の居室表示部４６にエントランス映像が映し出される。このように、居室操作部４７によりカメラが切り替えられる操作がされた場合であっても、玄関表示部１７での映像の表示が停止されているので、玄関カメラ２０またはエントランスカメラ１で取得されている映像は集合玄関機２の玄関表示部１７には表示されず居室機４の居室表示部４６だけに表示される。
【００５３】
このように、図６に示す実施形態によれば、集合玄関機２に対して呼出操作が開始されると、玄関カメラ２０で取得されている映像が玄関表示部１７に表示される。このため、来訪者は玄関表示部１７を見ることで自己の映像を確認することができる。
【００５４】
また、呼出操作が終了した後は、玄関カメラ２０で取得されている映像又はエントランスカメラ１で取得されている映像が居室表示部４６に表示されるとともに、呼出操作終了後に玄関カメラ２０で取得されている映像又はエントランスカメラ１で取得されている映像が玄関表示部１７に表示されることが停止される。このため、来訪者による呼出操作が終了した後に、居住者が、例えば防犯のために、居室操作部４７を操作して来訪者やその周囲の様子を確実に確認しようとしたとしても、この切り替えられた映像は玄関表示部１７には表示されない。このように、来訪者は玄関表示部１７を見ても、居室表示部４６に表示されている映像が切り替えられたことが分からないため、来訪者は、居住者が在宅中か否かを気づくことはできない。従って、居住者は、来訪者やその周囲の様子を来訪者に気付かれずに確認することができる。
【００５５】
また、呼出操作が終了した後、玄関表示部１７には、玄関カメラ２０で取得されている映像が録画中であることを示す録画表示が表示されるので、来訪者に対して、玄関カメラ２０で取得されている映像が録画中であることを自覚させることができるため、防犯性が向上する。
【００５６】
なお、上記他の実施形態では、集合玄関機２に対する来訪者による呼出操作の終了後は、玄関カメラ２０で取得されている映像を玄関表示部１７に表示させないようにしたが、呼出操作の終了後、玄関表示部１７に、呼出操作の終了前に玄関カメラ２０で録画した静止画を表示しても良い。
【００５７】
なお、本発明は、上述した実施形態及び他の実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００５８】
また、上記実施形態及び他の実施形態における玄関表示部１７及び居室表示部４６に表示させる映像としては、動画に限らず、連続する静止画を表示させても良い。
【００５９】
なお、本発明のインターホンシステムは、マンション等の集合住宅の各住戸に限らず、一戸建ての住戸などの玄関を有する建物に対しても利用可能である。例えば、上記の集合玄関機２の機能を一戸建ての住戸の玄関機に持たせることができる。
【００６０】
また、本例では、集合住宅のエントランスにエントランスカメラと集合玄関機を設置する例を説明したが、設置場所はこの例に限られない。例えば、集合住宅の居住者が利用可能な共用部（エレベータや集会所等）の入り口付近にエントランスカメラや集合玄関機を設置しても良い。
【符号の説明】
【００６１】
１：エントランスカメラ（共用部カメラ）、２：集合玄関機（玄関機）、４：居室機、１０：インターホンシステム、１７：玄関表示部、２０：玄関カメラ、４６：居室表示部、４７：居室操作部（カメラ切替部）
【図１】
2015053659.tif 000003
【図２】
2015053659.tif 000004
【図３】
2015053659.tif 000005
【図４】
2015053659.tif 000006
【図５】
2015053659.tif 000007
【図６】
2015053659.tif 000008